(57)【要約】【課題】本発明は水晶原料切り装置を開示した。【解決手段】本体を含み、前記本体の中には下端壁が傾いている原料切りチャンバが設置され、前記原料切りチャンバの中には前後に対称している挟み装置が設置され、前記挟み装置が向かい合って移動し水晶原料を挟むことができ、前記原料切りチャンバの下側と外部との間には排出溝が連通するように設置され、本発明は構造が簡単で、操作が便利であり、刃物の回転により水晶原料を移動連動させることができ、原料が切られて移動でき、また刃物が回転する間に、定量的に切り部分にクーラントを入れ、切り温度を下げ、本発明装置が原料を切る過程で全自動化に操作し、また保護カバーが設置され、切り安全性が高い。【選択図】図１
2020172100.tif 000002
【特許請求の範囲】
【請求項１】
本体を含み、前記本体の中には下端壁が傾いている原料切りチャンバが設置され、前記原料切りチャンバの中には前後に対称している挟み装置が設置され、前記挟み装置が向かい合って移動し水晶原料を挟むことができ、前記原料切りチャンバの下側と外部との間には排出溝が連通するように設置され、前記原料切りチャンバの左端壁には磁石が固定的に設置され、前記原料切りチャンバの右端壁の中には切り溝が連通するように設置され、前記切り溝の中には回転軸により刃物が回転できるように設置され、前記切り溝の前後両側には連結チャンバが対称的に連通するように設置され、前記回転軸の前後両端がそれぞれ前記連結チャンバの中に挿入され、且つ前記回転軸の前後両端には前記連結チャンバの中で回転できる平歯車が固定的に設置され、前記平歯車がそれぞれ前後側の前記挟み装置と噛合するように連結され、前側の前記連結チャンバの前端壁の中にはモータが固定的に設置され、前記モータと前記回転軸の前端とが伝動できるように連結され、前記原料切りチャンバの上端壁の中には空きチャンバが設置され、前記空きチャンバと前記原料切りチャンバとの間には滴下パイプが固定的に設置され、前記空きチャンバの上側には開け溝が設置され、前記開け溝の中には保護カバーが回転できるように設置され、前記保護カバーの下端と前記磁石とが磁力により接続され、前記開け溝の右側にはプッシュチャンバが設置され、前記プッシュチャンバの中にはプッシュブロックがスライドできるように設置され、前記プッシュブロックの左端と前記プッシュチャンバの左端壁との間には押圧ばねが固定的に設置され、前記プッシュブロックの中には連通溝が設置され、前記プッシュチャンバの上側には液体溝が設置され、前記プッシュチャンバが前記液体溝と前記空きチャンバとの間がそれぞれ連結溝により連通されており、前記プッシュチャンバの下端壁の中には回転溝が連通するように設置され、前記回転溝の中には心棒により前記プッシュブロックと噛合している二分の一の歯の回転歯車が回転できるように設置され、前記回転溝と前記切り溝とが連通しており、前記心棒と前記回転軸との間がベルトにより伝動できるように連結され、
前記刃物が回転し前記挟み装置を連動させ前記刃物の方向へ移動させ、水晶原料を切ることを特徴とする水晶原料切り装置。
【請求項２】
前記挟み装置は前記原料切りチャンバの中でスライドする移動ブロックを含み、前記移動ブロックの中には空き溝が設置され、前記空き溝の中には第一傘歯車が回転できるように設置され、前記第一傘歯車の軸心にはネジ山軸がネジ山により連結され、前記ネジ山軸の向かい合っている一端が前記原料切りチャンバの中に挿入され、且つ前記ネジ山軸の向かい合っている一端には挟みブロックが固定的に設置され、前記空き溝の一端壁の中にはスライド溝が連通するように設置され、前記ネジ山軸のうち互いに離れている一端が前記スライド溝の中に挿入され、且つ前記ネジ山軸のうち互いに離れている一端にはスライドブロックが固定的に設置され、前記スライドブロックが前記ネジ山軸をガイドしそれにより前記ネジ山軸が回転しなくなり、前記空き溝の中には固定軸により前記第一傘歯車と噛合している第二傘歯車が回転できるように設置され、前記固定軸の左端が前記原料切りチャンバの中に挿入され、且つ前記固定軸の左端には回転ブロックが固定的に設置され、前記移動ブロックのうち前記挟みブロックから離れている一端面には固定ロッドが固定的に設置され、前記固定ロッドには連結ロッドが回転できるように設置され、前記原料切りチャンバの右側には前後に対称している伝動装置が設置され、前記伝動装置と前記連結ロッドとが回転できるように連結され、前記原料切りチャンバの前後側には前記原料切りチャンバの傾いている角度と同じのガイド溝が連通するように設置され、前記固定ロッドのうち前記原料切りチャンバから離れている一端には前記ガイド溝とスライドできるように連結されるガイドブロックが固定的に設置され、
前記連結ロッドにより前記刃物を回転させて前記移動ブロックを移動連動させることを特徴とする請求項１に記載の水晶原料切り装置。
【請求項３】
前記伝動装置は前記原料切りチャンバと連通している回転チャンバを含み、前記回転チャンバの中には回転盤が回転できるように設置され、前記回転盤の中において前記刃物から離れている一端面には固定ブロックが固定的に設置され、前記連結ロッドの右端が前記回転チャンバの中に挿入され、且つ前記固定ブロックと回転できるように連結され、前記回転盤において前記固定ブロックから離れている側の端面の中間位置には連結軸が固定的に設置され、前記回転チャンバと前記連結チャンバとが連通しており、前記連結軸のもう一端と前記連結チャンバの内端壁とが回転できるように連結され、前記連結軸には前記平歯車と噛合している伝動歯車が固定的に設置され、
前記伝動歯車と前記平歯車との間が回転し前記回転盤の回転速度を減少させることを特徴とする請求項２に記載の水晶原料切り装置。
【発明の詳細な説明】
【技術分野】
【０００１】
本発明は水晶技術分野を取り上げて、具体的には水晶原料切り装置である。
【背景技術】
【０００２】
既存の水晶原料切り装置は手動で刃物を補助し操作するが、手動で操作する過程で、指と刃物との接触距離が近く、誤操作で危険な事故を引き起こしやすく、また、原料切り過程で原料の屑が飛散し、作業者の顔や手を傷つける可能性があり、安全性が低い。
従って、既存技術の水晶原料切り装置を更に改善する必要があり、それにより水晶原料切りの安全性を高める。
【先行技術文献】
【特許文献】
【０００３】
【特許文献１】中国特許出願公開第１０８９７１６１１号明細書
【発明の概要】
【発明が解決しようとする課題】
【０００４】
本発明の目的は水晶原料切り装置を提供し、それは上記の現在の技術中の問題を解決できる。
【課題を解決するための手段】
【０００５】
本発明の水晶原料切り装置は、本体を含み、前記本体の中には下端壁が傾いている原料切りチャンバが設置され、前記原料切りチャンバの中には前後に対称している挟み装置が設置され、前記挟み装置が向かい合って移動し水晶原料を挟むことができ、前記原料切りチャンバの下側と外部との間には排出溝が連通するように設置され、前記原料切りチャンバの左端壁には磁石が固定的に設置され、前記原料切りチャンバの右端壁の中には切り溝が連通するように設置され、前記切り溝の中には回転軸により刃物が回転できるように設置され、前記切り溝の前後両側には連結チャンバが対称的に連通するように設置され、前記回転軸の前後両端がそれぞれ前記連結チャンバの中に挿入され、且つ前記回転軸の前後両端には前記連結チャンバの中で回転できる平歯車が固定的に設置され、前記平歯車がそれぞれ前後側の前記挟み装置と噛合するように連結され、前側の前記連結チャンバの前端壁の中にはモータが固定的に設置され、前記モータと前記回転軸の前端とが伝動できるように連結され、前記原料切りチャンバの上端壁の中には空きチャンバが設置され、前記空きチャンバと前記原料切りチャンバとの間には滴下パイプが固定的に設置され、前記空きチャンバの上側には開け溝が設置され、前記開け溝の中には保護カバーが回転できるように設置され、前記保護カバーの下端と前記磁石とが磁力により接続され、前記開け溝の右側にはプッシュチャンバが設置され、前記プッシュチャンバの中にはプッシュブロックがスライドできるように設置され、前記プッシュブロックの左端と前記プッシュチャンバの左端壁との間には押圧ばねが固定的に設置され、前記プッシュブロックの中には連通溝が設置され、前記プッシュチャンバの上側には液体溝が設置され、前記プッシュチャンバが前記液体溝と前記空きチャンバとの間がそれぞれ連結溝により連通されており、前記プッシュチャンバの下端壁の中には回転溝が連通するように設置され、前記回転溝の中には心棒により前記プッシュブロックと噛合している二分の一の歯の回転歯車が回転できるように設置され、前記回転溝と前記切り溝とが連通しており、前記心棒と前記回転軸との間がベルトにより伝動できるように連結され、
前記刃物が回転し前記挟み装置を連動させ前記刃物の方向へ移動させ、水晶原料を切る。
【０００６】
さらなる技術プラン、前記挟み装置は前記原料切りチャンバの中でスライドする移動ブロックを含み、前記移動ブロックの中には空き溝が設置され、前記空き溝の中には第一傘歯車が回転できるように設置され、前記第一傘歯車の軸心にはネジ山軸がネジ山により連結され、前記ネジ山軸の向かい合っている一端が前記原料切りチャンバの中に挿入され、且つ前記ネジ山軸の向かい合っている一端には挟みブロックが固定的に設置され、前記空き溝の一端壁の中にはスライド溝が連通するように設置され、前記ネジ山軸のうち互いに離れている一端が前記スライド溝の中に挿入され、且つ前記ネジ山軸のうち互いに離れている一端にはスライドブロックが固定的に設置され、前記スライドブロックが前記ネジ山軸をガイドしそれにより前記ネジ山軸が回転しなくなり、前記空き溝の中には固定軸により前記第一傘歯車と噛合している第二傘歯車が回転できるように設置され、前記固定軸の左端が前記原料切りチャンバの中に挿入され、且つ前記固定軸の左端には回転ブロックが固定的に設置され、前記移動ブロックのうち前記挟みブロックから離れている一端面には固定ロッドが固定的に設置され、前記固定ロッドには連結ロッドが回転できるように設置され、前記原料切りチャンバの右側には前後に対称している伝動装置が設置され、前記伝動装置と前記連結ロッドとが回転できるように連結され、前記原料切りチャンバの前後側には前記原料切りチャンバの傾いている角度と同じのガイド溝が連通するように設置され、前記固定ロッドのうち前記原料切りチャンバから離れている一端には前記ガイド溝とスライドできるように連結されるガイドブロックが固定的に設置され、
前記連結ロッドにより前記刃物を回転させて前記移動ブロックを移動連動させる。
【０００７】
さらなる技術プラン、前記伝動装置は前記原料切りチャンバと連通している回転チャンバを含み、前記回転チャンバの中には回転盤が回転できるように設置され、前記回転盤の中において前記刃物から離れている一端面には固定ブロックが固定的に設置され、前記連結ロッドの右端が前記回転チャンバの中に挿入され、且つ前記固定ブロックと回転できるように連結され、前記回転盤において前記固定ブロックから離れている側の端面の中間位置には連結軸が固定的に設置され、前記回転チャンバと前記連結チャンバとが連通しており、前記連結軸のもう一端と前記連結チャンバの内端壁とが回転できるように連結され、前記連結軸には前記平歯車と噛合している伝動歯車が固定的に設置され、
前記伝動歯車と前記平歯車との間が回転し前記回転盤の回転速度を減少させる。
【発明の効果】
【０００８】
本発明の有益的な効果は：本発明は構造が簡単で、操作が便利であり、刃物の回転により水晶原料を移動連動させることができ、原料が切られて移動でき、また刃物が回転する間に、定量的に切り部分にクーラントを入れ、切り温度を下げ、本発明装置が原料を切る過程で全自動化に操作し、また保護カバーが設置され、切り安全性が高い。
【図面の簡単な説明】
【０００９】
【図１】図１は本発明の水晶原料切り装置の内部全体構造概略図
【図２】図２は本発明の図１のＡ−Ａ方向の構造概略図
【図３】図３は本発明の図２のＢの拡大構造概略図
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３を参照し、本発明の水晶原料切り装置は、本体１０を含み、前記本体１０の中には下端壁が傾いている原料切りチャンバ１１が設置され、前記原料切りチャンバ１１の中には前後に対称している挟み装置１００が設置され、前記挟み装置１００が向かい合って移動し水晶原料を挟むことができ、前記原料切りチャンバ１１の下側と外部との間には排出溝１２が連通するように設置され、前記原料切りチャンバ１１の左端壁には磁石５５が固定的に設置され、前記原料切りチャンバ１１の右端壁の中には切り溝１３が連通するように設置され、前記切り溝１３の中には回転軸１５により刃物１４が回転できるように設置され、前記切り溝１３の前後両側には連結チャンバ１９が対称的に連通するように設置され、前記回転軸１５の前後両端がそれぞれ前記連結チャンバ１９の中に挿入され、且つ前記回転軸１５の前後両端には前記連結チャンバ１９の中で回転できる平歯車２０が固定的に設置され、前記平歯車２０がそれぞれ前後側の前記挟み装置１００と噛合するように連結され、前側の前記連結チャンバ１９の前端壁の中にはモータ１８が固定的に設置され、前記モータ１８と前記回転軸１５の前端とが伝動できるように連結され、前記原料切りチャンバ１１の上端壁の中には空きチャンバ５０が設置され、前記空きチャンバ５０と前記原料切りチャンバ１１との間には滴下パイプ５２が固定的に設置され、前記空きチャンバ５０の上側には開け溝５３が設置され、前記開け溝５３の中には保護カバー５４が回転できるように設置され、前記保護カバー５４の下端と前記磁石５５とが磁力により接続され、前記開け溝５３の右側にはプッシュチャンバ４５が設置され、前記プッシュチャンバ４５の中にはプッシュブロック４６がスライドできるように設置され、前記プッシュブロック４６の左端と前記プッシュチャンバ４５の左端壁との間には押圧ばね５１が固定的に設置され、前記プッシュブロック４６の中には連通溝４７が設置され、前記プッシュチャンバ４５の上側には液体溝４８が設置され、前記プッシュチャンバ４５が前記液体溝４８と前記空きチャンバ５０との間がそれぞれ連結溝４９により連通されており、前記プッシュチャンバ４５の下端壁の中には回転溝４１が連通するように設置され、前記回転溝４１の中には心棒４２により前記プッシュブロック４６と噛合している二分の一の歯の回転歯車４３が回転できるように設置され、前記回転溝４１と前記切り溝１３とが連通しており、前記心棒４２と前記回転軸１５との間がベルト４４により伝動できるように連結され、
前記刃物１４が回転し前記挟み装置１００を連動させ前記刃物１４の方向へ移動させ、水晶原料を切る。
【００１２】
有益的には、前記挟み装置１００は前記原料切りチャンバ１１の中でスライドする移動ブロック２７を含み、前記移動ブロック２７の中には空き溝３５が設置され、前記空き溝３５の中には第一傘歯車３６が回転できるように設置され、前記第一傘歯車３６の軸心にはネジ山軸３２がネジ山により連結され、前記ネジ山軸３２の向かい合っている一端が前記原料切りチャンバ１１の中に挿入され、且つ前記ネジ山軸３２の向かい合っている一端には挟みブロック３７が固定的に設置され、前記空き溝３５の一端壁の中にはスライド溝３１が連通するように設置され、前記ネジ山軸３２のうち互いに離れている一端が前記スライド溝３１の中に挿入され、且つ前記ネジ山軸３２のうち互いに離れている一端にはスライドブロック３４が固定的に設置され、前記スライドブロック３４が前記ネジ山軸３２をガイドしそれにより前記ネジ山軸３２が回転しなくなり、前記空き溝３５の中には固定軸３９により前記第一傘歯車３６と噛合している第二傘歯車３８が回転できるように設置され、前記固定軸３９の左端が前記原料切りチャンバ１１の中に挿入され、且つ前記固定軸３９の左端には回転ブロック４０が固定的に設置され、前記移動ブロック２７のうち前記挟みブロック３７から離れている一端面には固定ロッド２８が固定的に設置され、前記固定ロッド２８には連結ロッド２６が回転できるように設置され、前記原料切りチャンバ１１の右側には前後に対称している伝動装置２００が設置され、前記伝動装置２００と前記連結ロッド２６とが回転できるように連結され、前記原料切りチャンバ１１の前後側には前記原料切りチャンバ１１の傾いている角度と同じのガイド溝３０が連通するように設置され、前記固定ロッド２８のうち前記原料切りチャンバ１１から離れている一端には前記ガイド溝３０とスライドできるように連結されるガイドブロック２９が固定的に設置され、
前記連結ロッド２６により前記刃物１４を回転させて前記移動ブロック２７を移動連動させる。
【００１３】
有益的には、前記伝動装置２００は前記原料切りチャンバ１１と連通している回転チャンバ２３を含み、前記回転チャンバ２３の中には回転盤２４が回転できるように設置され、前記回転盤２４の中において前記刃物１４から離れている一端面には固定ブロック２５が固定的に設置され、前記連結ロッド２６の右端が前記回転チャンバ２３の中に挿入され、且つ前記固定ブロック２５と回転できるように連結され、前記回転盤２４において前記固定ブロック２５から離れている側の端面の中間位置には連結軸２２が固定的に設置され、前記回転チャンバ２３と前記連結チャンバ１９とが連通しており、前記連結軸２２のもう一端と前記連結チャンバ１９の内端壁とが回転できるように連結され、前記連結軸２２には前記平歯車２０と噛合している伝動歯車２１が固定的に設置され、
前記伝動歯車２１と前記平歯車２０との間が回転し前記回転盤２４の回転速度を減少させる。
【００１４】
初期状態では、連結溝４９と連通溝４７とが連通していなく、保護カバー５４が原料切りチャンバ１１を密封する。
【００１５】
装置が作動するとき、時計回りに保護カバー５４を回転させ原料切りチャンバ１１を開け、水晶原料を挟みブロック３７の間に置き、それぞれ前後側の回転ブロック４０を回転させ、第二傘歯車３８に第一傘歯車３６を回転連動させ、スライドブロック３４の作用により挟みブロック３７が向かい合って移動し、水晶原料を挟みブロック３７の中にきつく挟み、保護カバー５４を磁石５５と接続されるように回転させて原料切りチャンバ１１を密封し、そして、モータ１８が作動し、回転軸１５を駆動し回転させ、それにより刃物１４が回転し水晶原料を切り、回転軸１５が回転する過程で、平歯車２０を回転連動させ、それにより伝動歯車２１が共に減速して回転し、回転盤２４を回転させ、ガイドブロック２９の作用により、連結ロッド２６を通じて移動ブロック２７をゆっくり引き原料切りチャンバ１１の下端壁に沿って刃物１４の方向へ移動させ、水晶原料が切られて移動し、その過程では、ベルト４４により回転歯車４３を回転させ、回転歯車４３がプッシュブロック４６と噛合するとき、プッシュブロック４６を左に移動させ、それにより連通溝４７と連結溝４９とが連通し、液体溝４８の中のクーラントが空きチャンバ５０の中に入り滴下パイプ５２により水晶原料と刃物１４の切り部分に滴下し、切り温度を下げ、回転歯車４３とプッシュブロック４６とが噛合から離脱するとき、プッシュブロック４６が押圧ばね５１の作用により右に移動し連結溝４９の流れを塞ぎ、液体の流れを制御し、回転盤２４が百八十度に回転した後、移動ブロック２７が右側限界位置まで達し、それにより回転盤２４が回転し続けて移動ブロック２７を左に移動させ初期位置に戻らせ、切るときのクーラントと廃物が排出溝１２により排出される。
【００１６】
本発明の有益的な効果は：本発明は構造が簡単で、操作が便利であり、刃物の回転により水晶原料を移動連動させることができ、原料が切られて移動でき、また刃物が回転する間に、定量的に切り部分にクーラントを入れ、切り温度を下げ、本発明装置が原料を切る過程で全自動化に操作し、また保護カバーが設置され、切り安全性が高い。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172100.tif 000003
【図２】
2020172100.tif 000004
【図３】
2020172100.tif 000005